(57)【要約】【課題】船艙周壁の主要部分を壁シートで覆い、揚荷後の清掃作業を、大幅に簡略化できるようにする。【解決手段】船艙用シート１を、右舷壁シート７，左舷壁シート８，船首壁シート９，および船尾壁シート１０で構成する。船艙２の各壁面３，４，５，６は、平坦面ではなく凹凸がある面となっているが、各壁面３，４，５，６の凹凸がある部分のほぼ全域を、前記各壁シート７，８，９，１０で覆う。これにより、揚荷後の清掃を省略することはできないが、その作業を大幅に簡略化できる。【選択図】図１
2006282024.tif 000002
【特許請求の範囲】
【請求項１】
船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートは、各壁面にそって張設した展張ワイヤに上端縁が着脱可能に係止されて展張される船艙用シートであって、前記各壁シートは、その上端縁に、先端がハッチコーミング部に固縛されて展張ワイヤ切断時に各壁シートの落下を防止するための落下防止用紐体を有しているとともに、下端縁に、揚荷終了直前に各壁シートの下端を持ち上げて各壁シートが荷役機器に巻き込まれるのを防止するための巻き上げ用紐体を有し、各巻き上げ用紐体は、各壁シートの展張状態において、その先端がハッチコーミング部に固縛されることを特徴とする船艙用シート。
【請求項２】
各巻き上げ用紐体は、その先端が各壁シートの背面側を通してハッチコーミング部に固縛されることを特徴とする請求項１記載の船艙用シート。
【請求項３】
少なくとも左右の舷壁シートは、その下端縁が鋸刃状をなしていることを特徴とする請求項１または２記載の船艙用シート。
【請求項４】
少なくとも左右の舷壁シートは、縦糸が長さ方向に一致する所定幅の短冊状をなす単位シートを対角線方向に切断するとともに、その長辺を相互に縫製して逆三角形状の中央シートを形成し、かつ中央シートの両側の斜辺に、所定枚の単位シートを下端が鋸刃状になるように順次縫製して形成されていることを特徴とする請求項３記載の船艙用シート。
【請求項５】
少なくとも左右の舷壁シートは、縦糸が長さ方向に一致する帯状の原反を斜めのカット線でカットして所定幅の短冊状をなす単位シートを製作し、この単位シートを、幅方向に順次縫製して形成されていることを特徴とする請求項３記載の船艙用シート。
【請求項６】
原反を斜めにカットするカット線の角度は、４５度であることを特徴とする請求項５記載の船艙用シート。
【請求項７】
船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートを、各壁面にそって張設された展張ワイヤに上端縁を着脱可能に係止して展張する船艙用シートの設置方法であって、前記各壁シートの上端縁に、展張ワイヤ切断時に各壁シートの落下を防止するための落下防止用紐体を設けるとともに、各壁シートの下端縁に、揚荷終了直前に各壁シートの下端を持ち上げて各壁シートが荷役機器に巻き込まれるのを防止するための巻き上げ用紐体を設け、前記各展張ワイヤを弛ませた状態で、船艙底面上において各壁シートの上端縁を、展張ワイヤに係止するとともに、各展張ワイヤを引張って各壁シートを所定の高さ位置まで持ち上げ、次いで、各壁シートを、展張ワイヤにそって拡げることにより各壁面にそって展張し、次いで、ハッチコーミング部から吊降ろしたロープに、前記各紐体を結束して上方に持ち上げ、各紐体の先端をハッチコーミング部に固縛することを特徴とする船艙用シートの設置方法。
【請求項８】
各巻き上げ用紐体は、各壁シートの背面側を通してハッチコーミング部に固縛されることを特徴とする請求項７記載の船艙用シートの設置方法。
【請求項９】
揚荷終了直前に、甲板上から各巻き上げ用紐体を引張って、各壁シートの下端を持ち上げることを特徴とする請求項７または８記載の船艙用シートの設置方法。
【発明の詳細な説明】
【技術分野】
【０００１】
本発明は、船艙用シートおよびその設置方法に係り、特に揚荷後に行なわれる船艙内の清掃作業を大幅に簡素化することができる船艙用シートおよびその設置方法に関する。
【背景技術】
【０００２】
従来、セメント等の散積み貨物を積付ける場合には、散積み貨物をそのまま積付けるのが通例であるが、この場合には、散積み貨物の揚荷後に、船艙内を清掃する必要がある。
【０００３】
ところで、船艙において、左右の舷側の壁面には、その垂直面部に、上下方向に延在する複数の補強材が設けられているとともに、船首尾側の壁面には、その垂直面部に、凹凸状のコルゲートが設けられているため、これらの凹凸部分の清掃が特に困難である。
【０００４】
そこで一部では、船艙内に船艙用シートを設置し、左右両舷側の壁面および船首尾方向両側の壁面を、この船艙用シートで覆うことが検討されており、本出願人も先に、特願２００３−１６１５６９において、この種の船艙用シートおよびその設置方法を提案した。
【特許文献１】特願２００３−１６１５６９
【発明の開示】
【発明が解決しようとする課題】
【０００５】
ところで、本出願人が提案した先の船艙用シートは、船艙内壁面を船艙用シートで完全に覆って、揚荷後の清掃を完全に省略できるようにすることを目的としているため、船艙用シートの形状が複雑となるとともに、その設置作業も容易でないと云う問題がある。
【０００６】
本発明はかかる現況に鑑みなされたもので、基本的に船艙各壁面の凹凸部分のみを覆って、揚荷後の清掃作業の大幅な簡素化を図ることができる船艙用シートおよびその設置方法を提供することを目的とする。
【０００７】
本発明の他の目的は、各壁シートが貨物側からの荷重を受けて展張ワイヤに過負荷がかかり、展張ワイヤが切断してしまった場合であっても、各壁シートが落下するのを防止することができるようにすることにある。
【０００８】
本発明の他の目的は、揚荷終了直前に、各壁シートの下端が荷役機器に巻き込まれるのを防止することができるようにすることにある。
【０００９】
本発明の他の目的は、散積み貨物を積付けた際に、各舷壁シートに皺が発生するのを防止することができるようにすることにある。
【００１０】
本発明のさらに他の目的は、特に左右の舷壁シートの強度を向上させることができるようにすることにある。
【課題を解決するための手段】
【００１１】
前記目的を達成するため本発明は、船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートは、各壁面にそって張設した展張ワイヤに上端縁が着脱可能に係止されて展張される船艙用シートであって、前記各壁シートの上端縁に、先端がハッチコーミング部に固縛されて展張ワイヤ切断時に各壁シートの落下を防止するための落下防止用紐体を設けるとともに、下端縁に、揚荷終了直前に各壁シートの下端を持ち上げて各壁シートが荷役機器に巻き込まれるのを防止するための巻き上げ用紐体を設け、各巻き上げ用紐体を、各壁シートの展張状態において、その先端をハッチコーミング部に固縛するようにしたことを特徴とする。
【００１２】
本発明はまた、各巻き上げ用紐体の先端を、各壁シートの背面側を通してハッチコーミング部に固縛するようにしたことを特徴とする。
【００１３】
本発明はまた、少なくとも左右の舷壁シートの下端縁を、鋸刃状に形成するようにしたことを特徴とする。
【００１４】
本発明はまた、少なくとも左右の舷壁シートを、縦糸が長さ方向に一致する所定幅の短冊状をなす単位シートを対角線方向に切断するとともに、その長辺を相互に縫製して逆三角形状の中央シートを形成し、かつ中央シートの両側の斜辺に、所定枚の単位シートを下端が鋸刃状になるように順次縫製して形成するようにしたことを特徴とする。
【００１５】
本発明はまた、少なくとも左右の舷壁シートを、縦糸が長さ方向に一致する帯状の原反を斜めのカット線でカットして所定幅の短冊状をなす単位シートを製作し、この単位シートを、幅方向に順次縫製して形成するようにしたことを特徴とする。
【００１６】
本発明はまた、原反を斜めにカットするカット線の角度を、４５度としたことを特徴とする。
【００１７】
本発明はまた、船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートを、各壁面にそって張設された展張ワイヤに上端縁を着脱可能に係止して展張する船艙用シートの設置方法であって、前記各壁シートの上端縁に、展張ワイヤ切断時に各壁シートの落下を防止するための落下防止用紐体を設けるとともに、各壁シートの下端縁に、揚荷終了直前に各壁シートの下端を持ち上げて各壁シートが荷役機器に巻き込まれるのを防止するための巻き上げ用紐体を設け、前記各展張ワイヤを弛ませた状態で、船艙底面上において各壁シートの上端縁を、展張ワイヤに係止するとともに、各展張ワイヤを引張って各壁シートを所定の高さ位置まで持ち上げ、次いで、各壁シートを、展張ワイヤにそって拡げることにより各壁面にそって展張し、次いで、ハッチコーミング部から吊降ろしたロープに、前記各紐体を結束して上方に持ち上げ、各紐体の先端をハッチコーミング部に固縛するようにしたことを特徴とする。
【００１８】
本発明はさらに、揚荷終了直前に、甲板上から各巻き上げ用紐体を引張って、各壁シートの下端を持ち上げるようにしたことを特徴とする。
【発明の効果】
【００１９】
本発明は、船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートは、各壁面にそって張設した展張ワイヤに上端縁が着脱可能に係止されて展張される船艙用シートであって、前記各壁シートの上端縁に、先端がハッチコーミング部に固縛されて展張ワイヤ切断時に各壁シートの落下を防止するための落下防止用紐体を設けるとともに、下端縁に、揚荷終了直前に各壁シートの下端を持ち上げて各壁シートが荷役機器に巻き込まれるのを防止するための巻き上げ用紐体を設け、各巻き上げ用紐体を、各壁シートの展張状態において、その先端をハッチコーミング部に固縛するようにしているので、少なくとも船艙各壁面の凹凸部分が、各壁シートで覆われることになり、セメント等の散積み貨物を船艙内に積付けても、散積貨物が船艙各壁面の凹凸部分に入り込んで付着することがなく、仮令入り込んだとしても、その付着量は極めて少ない。このため、揚荷後の清掃作業を大幅に簡素化することができる。
【００２０】
また、各壁シートは、その上端縁に設けられた落下防止用紐体が、ハッチコーミング部に固縛されるようになっているので、各壁シートが貨物側からの荷重を受けて展張ワイヤに過負荷がかかり、展張ワイヤが切断してしまった場合であっても、各壁シートが落下するのを防止することができる。
【００２１】
また、各壁シートは、その下端縁に設けられた巻き上げ用紐体が、ハッチコーミング部に固縛されるようになっているので、揚荷終了直前に、甲板上から巻き上げ用紐体を引張ることにより、各壁シートの下端を持ち上げることができる。このため、各壁シートが荷役機器に巻き込まれるのを防止することができる。
【００２２】
本発明はまた、各巻き上げ用紐体の先端を、各壁シートの背面側を通してハッチコーミング部に固縛するようにしているので、各巻き上げ用紐体を甲板上から引張って、各壁シートの下端を持ち上げた際に、各壁シートの下端が、各壁シートの背面側を通して持ち上げられることになる。そして、荷役機器に巻き込まれるのは、壁シートの端縁からであるので、各壁シートが荷役機器に巻き込まれる可能性がより少なくなり、安全性を向上させることができる。
【００２３】
本発明はまた、少なくとも左右の舷壁シートの下端縁を、鋸刃状となるようにしているので、散積み貨物を積付ける際に、各鋸刃の下端側から順次、貨物によって壁面側に押し付けられることになる。このため、各舷壁シートに皺が発生するのを、有効に防止することができる。
【００２４】
本発明はまた、少なくとも左右の舷壁シートを、縦糸が長さ方向に一致する所定幅の短冊状をなす単位シートを対角線方向に切断するとともに、その長辺を相互に縫製して逆三角形状の中央シートを形成し、かつ中央シートの両側の斜辺に、所定枚の単位シートを下端が鋸刃状になるように順次縫製して形成するようにしているので、舷壁シートの大部分の領域が、縦糸が鉛直方向に対し斜めになった織布で形成されることになる。このため、舷壁シートの横糸のみに大きな荷重がかかることがなくなり、同一の原反を用いた場合であっても、荷重に対する強度を向上させることができる。
【００２５】
本発明はまた、少なくとも左右の舷壁シートを、縦糸が長さ方向に一致する帯状の原反を斜めのカット線でカットして所定幅の短冊状をなす単位シートを製作し、この単位シートを、幅方向に順次縫製して形成するようにしているので、左右の舷壁シートの全域が、縦糸および横糸が鉛直方向に対し所定角度で傾斜したシートにより形成されることになる。このため、シートに加わる負荷が、縦糸および横糸で分担負荷され、大きな耐力を得ることができる。
【００２６】
本発明はまた、原反を斜めにカットするカット線の角度を、４５度とするようにしているので、左右の舷壁シートの全域が、縦糸および横糸が鉛直方向に対し４５度で傾斜したシートにより形成されることになる。このため、シートに加わる負荷が、縦糸および横糸で均等に分担負荷され、最も大きな耐力を得ることができる。
【００２７】
本発明はまた、船艙の右舷側の壁面にそって配置される右舷壁シートと；船艙の左舷側の壁面にそって配置される左舷壁シートと；船艙の船首側の壁面にそって配置される船首壁シートと；船艙の船尾側の壁面にそって配置される船尾壁シートと；を備え、前記各壁シートを、各壁面にそって張設された展張ワイヤに上端縁を着脱可能に係止して展張する船艙用シートの設置方法であって、前記各壁シートの上端縁に、展張ワイヤ切断時に各壁シートの落下を防止するための落下防止用紐体を設けるとともに、各壁シートの下端縁に、揚荷終了直前に各壁シートの下端を持ち上げて各壁シートが荷役機器に巻き込まれるのを防止するための巻き上げ用紐体を設け、前記各展張ワイヤを弛ませた状態で、船艙底面上において各壁シートの上端縁を、展張ワイヤに係止するとともに、各展張ワイヤを引張って各壁シートを所定の高さ位置まで持ち上げ、次いで、各壁シートを、展張ワイヤにそって拡げることにより各壁面にそって展張し、次いで、ハッチコーミング部から吊降ろしたロープに、前記各紐体を結束して上方に持ち上げ、各紐体の先端をハッチコーミング部に固縛するようにしているので、人力で移動させることができる足場や梯子程度の簡単な器具を用いるだけで、各壁シートを設置することができる。
【００２８】
また、各落下防止用紐体の先端を、ハッチコーミング部に固縛するようにしているので、各壁シートに過負荷がかかって、展張ワイヤが切断した場合であっても、各壁シートが各落下防止用紐体で支持され、落下を防止することができる。
【００２９】
本発明はさらに、揚荷終了直前に、甲板上から各巻き用紐体を引張って、各壁シートの下端を持ち上げるようにしているので、各壁シートの下端が荷役機器に巻き込まれるのを防止することができる。しかも、大型の壁シートであるにも拘らず、持ち上げ操作を甲板上から人力のみで行なうことができ、作業が容易である。
【発明を実施するための最良の形態】
【００３０】
以下、本発明を図面を参照して説明する。
図１ないし図３は、本発明の第１の実施の形態に係る船艙用シートを示すもので、この船艙用シート１は、船艙２の右舷側の壁面３にそって配される右舷壁シート７と、船艙２の左舷側の壁面４にそって配される左舷壁シート８と、船艙２の船首側の壁面５にそって配される船首壁シート９と、船艙２の船尾側の壁面６にそって配される船尾壁シート１０とで構成されている。
【００３１】
前記右舷壁シート７および左舷壁シート８は、図２に示すように、Ｔ型断面やＬ型断面の多数の補強材（図示せず）が並設されている各壁面３，４の垂直壁部分をほぼ完全に覆うことができる形状寸法に設定されており、セメント等の散積み貨物（図示せず）は、各壁シート７，８の上端よりも稍下方位置まで積付けられるようになっている。
【００３２】
前記各壁シート７，８は、図４に示すように、長さ方向中央部に配された逆三角形状の中央シート１１と、この中央シート１１の両側に所定枚数ずつ縫製連結された単位シート１２とで形成されており、前記各単位シート１２は、その下端が鋸刃状になるように順次縫製されているとともに、前記中央シート１１は、単位シート１２を対角線方向に二等分するとともに、二等分した三角形の長辺を相互に縫製することにより形成されている。
【００３３】
すなわち、前記単位シート１２は、図５に示すように、縦糸１３ａが長さ方向に一致するとともに、横糸１３ｂが幅方向に一致する原反を所定幅の短冊状にカットして単位シート原反１３を製作するとともに、この単位シート原反１３の上端部分１３ｃを斜めにカットして構成されている。
【００３４】
一方、前記中央シート１１は、図５に示すように、前記単位シート原反１３の上端部を、その下端と平行なカット線１４でカットして、図６に示す中央シート原反１５を製作するとともに、この中央シート原反１５を、対角線方向に二等分するとともに、二等分して三角形の長辺を相互に縫製して形成されている。
【００３５】
したがって、中央シート１１は、その縦糸１３ａおよび横糸１３ｂが、鉛直方向および水平方向と一致することになるが、その両側の各単位シート１２は、その縦糸１３ａおよび横糸１３ｂが、鉛直方向および水平方向に対し、所定角度で傾いた状態となっている。そしてこれにより、各単位シート１２に負荷がかがった場合に、その負荷を縦糸１３ａのみあるいは横糸１３ｂのみで支持することがなくなって、両糸１３ａ，１３ｂで分担支持することになり、同一の原反を用いた場合であっても、負荷に対する耐力を向上させることができるようになっている。
【００３６】
なお、前記中央シート１１と単位シート１２とを縫合する際、および各単位シート１２相互を縫合する際には、その間に図示しない補強ベルトを介し縫製されて強度の向上が図られており、また前記各壁シート７，８の上下端縁には、図４に示すように、上端補強ベルト１６および下端補強ベルト１７が縫合されるようになっている。
【００３７】
前記各壁シート７，８にはまた、図４に示すように、その上端縁にカラビナ構造の上端フック１８が設けられているとともに、例えば５本の落下防止用紐体１９が設けられており、また下端縁には、例えば５本の巻き上げ用紐体２０が設けられている。
【００３８】
一方、前記船首壁シート９および船尾壁シート１０は、図３に示すように、壁面に凹凸状のコルゲートが設けられている各壁面５，６の垂直壁部分のほぼ全域を覆うことができる形状寸法に設定されており、セメント等の散積み貨物（図示せず）は、各壁シート９，１０の上端よりも稍下方位置まで積付けられるようになっている。
【００３９】
前記各壁シート９，１０は、図７に示すように、前記左右の舷壁シート７，８で用いた単位シート原反１３を、単純に横方向に縫製して構成されており、各単位シート原反１３相互を縫合する際には、その間に図示しない補強ベルトを介し縫製されて強度の向上が図られている。また、各壁シート９，１０の上下端縁には、図７に示すように、上端補強ベルト２１および下端補強ベルト２２が縫合されるようになっている。
【００４０】
前記各壁シート９，１０にはまた、図７に示すように、その上端縁にカラビナ構造の上端フック２３が設けられているとともに、例えば５本の落下防止用紐体２４が設けられており、また下端縁には、例えば５本の巻き上げ用紐体２５が設けられている。
【００４１】
次に、本実施の形態の作用について説明する。
船艙用シート１の設置に際しては、まず各壁シート７，８，９，１０の設置に先立って、船艙２の各壁面３，４，５，６に、図８および図９に示すように、上端係止金具２６，２７、Ｊ形状またはＵ形状等のフック金具２８，２９、中間係止金具３０，３１、および下端係止金具３２，３３を溶着するとともに、ハッチコーミング３４の内面上端部に、ハッチ係止金具３５，３６を溶着する。
【００４２】
すなわち、左右の舷側の各壁面３，４には、図８に示すように、各壁シート７，８の設置上端位置に合わせて、２個の上端係止金具２６および３個のフック金具２８を溶着するとともに、各上端係止金具２６の下方位置に、中間係止金具３０および下端係止金具３２をそれぞれ溶着する。また、ハッチコーミング３４の内面上端部に、ハッチ係止金具３５を例えば５個ずつ溶着する。
【００４３】
また、船首尾側の各壁面５，６には、図９に示すように、各壁シート９，１０の設置上端位置に合わせて、２個の上端係止金具２７および３個のＪフツク２９を溶着するとともに、各上端係止金具２７の下方位置に、中間係止金具３１および下端係止金具３３をそれぞれ溶着する。また、ハッチコーミング３４の内面上端部に、ハッチ係止金具３６を例えば５個ずつ溶着する。
【００４４】
このようにして、各係止金具２６，２７，３０，３１，３２，３３，３５，３６、および各フック金具２８，２９を溶着したならば、これらを用いて各壁シート７，８，９，１０を展張する。
【００４５】
次に、左右の舷側の各壁シート７，８の設置方法について説明する。
各壁シート７，８の設置に際しては、まず図１０に示すように、図中左端側の係止金具２６，３０，３２を用いて展張ワイヤ３７の一端を固定するとともに、その先端を図中右端側の係止金具２６，３０，３２に係止した後に、船艙２の底面上まで引出す。そして、展張ワイヤ３７の上端係止金具２６，２６間の部分は、船艙２の底面上で作業ができるように弛ませておく。なお、展張ワイヤ３７の図中左端側の固定は、例えば図１１に示すように、中間係止金具３０と下端係止金具３２との間に配した固定金具３８用いて行なう。
【００４６】
次いで、図１１に示すように、折り畳まれている各壁シート７，８を用意し、その上端フック１８を弛んだ状態の展張ワイヤ３７に係止するとともに、シート引上げ作業用ロープ３９の一端を、各壁シート７，８に巻き付けて固定する。シート引上げ作業用ロープ３９の他端は、上端係止金具２６に取付けた滑車４０に巻き掛けた後、船艙２の底面上に垂らしておく。
【００４７】
次いで、一人の作業員がシート引上げ用ロープ３９を引張って、各壁シート７，８を持ち上げるとともに、他の作業員が展張ワイヤ３７を引張って弛みがない状態とする。弛みがない状態にした展張ワイヤ３７の自由端は、例えば図１１に示す固定金具３８と同様の固定金具（図示せず）を用いて固定する。図１２は、このようにして、滑車４０の位置まで持ち上げられた各壁シート７，８の状態を示している。
【００４８】
次いで、シート引上げ作業用ロープ３９の一端を、各壁シート７，８から取外して船艙２の底面上に落下させるとともに、滑車４０を上端係止金具２６から取外して回収する。
【００４９】
次いで、図１３に示すように、弛みがないように張設した展張ワイヤ３７にそって、各壁シート７，８を展張するとともに、展張ワイヤ３７の中間部をフック金具２８に係止する。これらの作業は、人力で移動可能な方形櫓状の作業用足場や梯子を用いて行なうことになるが、例えば本出願人等が先に提案した「高所作業用足場装置」（特願２００４−２５９７４６）を用いて行なうと、極めて短時間で安全に行なうことができる。
【００５０】
次いで、図１４に示すように、落下防止用紐体引上げロープ４１および巻き上げ用紐体引上げロープ４２を、甲板上から船艙２の底面上まで垂らし、各引上げロープ４１，４２の先端に、各紐体１９，２０の先端を結束する。そして、各引上げロープ４１，４２を引張って、各紐体１９，２０を甲板上まで引上げる。なおこの際、巻き上げ用紐体引上げロープ４２は、図１４に示すように、各壁シート７，８の背面側を通して船艙２の底面上まで垂らし、甲板上まで引上げた際に、各巻き上げ用紐体２０が各壁シート７，８の背面側を通して引上げられるようにする。
【００５１】
このようにして、各紐体１９，２０を甲板上まで引上げたならば、図１５に示すように、各紐体１９，２０の先端を、ハッチ係止金具３５にそれぞれ固縛する。これにより、左右の舷側の各壁シート７，８の設置作業が終了する。
【００５２】
次に、船首尾側の各壁シート９，１０の設置方法について説明する。
各壁シート９，１０の設置に際しては、まず図１６に示すように、図中左端側の係止金具２７，３１，３３を用いて展張ワイヤ４３の一端を固定するとともに、その先端を図中右端側の係止金具２７，３１，３３に係止した後に、船艙２の底面上まで引出す。この際、展張ワイヤ４３の上端係止金具２７，２７間の部分は、船艙２の底面上で作業ができるように弛ませておく。なお、展張ワイヤ４３の図中左端側の固定は、図１１に示す固定金具３８と同様の固定金具（図示せず）を用いて行なう。
【００５３】
次いで、図１７に示すように、折り畳まれている各壁シート９，１０を用意し、その上端フック２３を弛んだ状態の展張ワイヤ４３に係止するとともに、シート引上げ作業用ロープ４４の一端を、各壁シート９，１０に巻き付けて固定する。
【００５４】
ところで、船首尾側の各壁面５，６には、図１７に示すように、船艙用昇降梯子４５およびその踊り場４６が予め設けられているのが通例である。そこで、前記踊り場４６の手摺等に滑車４７を取付け、前記シート引上げ作業用ロープ４４の他端を、この滑車４７に巻き掛けた後、船艙２の底面上に垂らしておく。
【００５５】
次いで、一人の作業員がシート引上げ作業用ロープ４４を引張って、各壁シート９，１０を持ち上げるとともに、他の作業員が展張ワイヤ４３を引張って弛みがない状態とする。弛みがない状態にした展張ワイヤ４３の自由端は、例えば図１１に示す固定金具３８と同様の固定金具（図示せず）を用いて固定する。図１８は、このようにして滑車４７の位置まで持ち上げられた各壁シート９，１０の状態を示している。
【００５６】
次いで、シート引上げ作業用ロープ４４の一端を、各壁シート９，１０から取外して船艙２の底面上に落下させるとともに、滑車４７を踊り場４６の手摺から取外して回収する。
【００５７】
次いで、図１９に示すように、弛みがないように張設した展張ワイヤ４３にそって、各壁シート９，１０を展張するとともに、展張ワイヤ４３の中間部をフック金具２９に係止する。
【００５８】
次いで、図２０に示すように、落下防止用紐体引上げロープ４８および巻き上げ用紐体引上げロープ４９を、甲板上から船艙２の底面上まで垂らし、各引上げロープ４８，４９の先端に、各紐体２４，２５の先端を結束する。そして、各引上げロープ４８，４９を引張って、各紐体２４，２５を甲板上まで引上げる。なおこの際、巻き上げ用紐体引上げロープ４９は、図２０に示すように、各壁シート９，１０の背面側を通して船艙２の底面上まで垂らし、甲板上まで引上げた際、各巻き上げ用紐体２５が各壁シート９，１０の背面側を通して引上げられるようにする。
【００５９】
このようにして、各紐体２４，２５を甲板上まで引上げたならば、図２１に示すように、各紐体２４，２５の先端を、ハッチ係止金具３６にそれぞれ固縛する。これにより、船首尾側の各壁シート９，１０の設置作業が終了する。
【００６０】
すべての壁シート７，８，９，１０の設置作業が終了したならば、所定の荷役機械を用いて、各壁シート７，８，９，１０の上端近傍位置までセメント等の散積み貨物を積付ける。
【００６１】
ところで、散積み貨物を積付けていくと、各壁シート７，８，９，１０は、その下端縁側から貨物に埋まっていくことになるが、左右の舷側の各壁面３，４には、断面Ｔ型状あるいは断面Ｌ型状の型鋼が補強材として配されていて大きな凹凸が形成された状態となっている。このため、左右の舷側の各壁シート７，８の下端縁が直線状である場合には、貨物に埋まっていくタイミングが、下端縁全域で同時となり、この場合には、各壁シート７，８に皺が発生して部分的に大きな負荷がかかり、各壁シート７，８が破れるおそれがある。
【００６２】
ところが、本実施の形態においては、各壁シート７，８の下端縁が、図４に示すように鋸刃状となっているので、各壁シート７，８の下端縁が、各鋸刃の先端側から貨物に埋まっていくことになる。このため、各壁シート７，８に皺が発生することがなくなり、各壁シート７，８が破れるのを有効に防止することができる。
【００６３】
また、船艙２内に散積み貨物を積付けた場合、積付けられた散積み貨物からの負荷が、各壁シート７，８，９，１０に作用して各壁シート７，８，９，１０が下方に引張られ、展張ワイヤ３７，４３が切断するおそれがある。そして、各壁シート７，８，９，１０の上端縁は、この展張ワイヤ３７，４３で支持された構造になっているので、展張ワイヤ３７，４３が切断した場合には、各壁シート７，８，９，１０が内側に倒れ込んで、以後の積荷が不可能になるおそれがある。
【００６４】
ところが、本実施の形態における各壁シート７，８，９，１０は、その上端縁が落下防止用紐体１９，２４で支持されているので、万一展張ワイヤ３７，４３が切断した場合であっても、各壁シート７，８，９，１０はそのままの展張状態が維持され、以後の積荷作業に支障を来たすおそれが全くない。
【００６５】
一方、揚荷に際しては、所定の荷役機器を用いて、セメント等の散積み荷物を揚荷することになるが、揚荷が次第に進んで終了直前になると、各壁シート７，８，９，１０の下端縁が露出してブラブラした状態となる。このため、そのままの状態で荷役を続けると、各壁シート７，８，９，１０の下端縁が荷役機器に巻き込まれ、不測の事故を引き起こすおそれがある。
【００６６】
そこで、本実施の形態においては、図２２および図２３に示すように、揚荷終了直前になったならば、甲板上から作業員が各巻き上げ用紐体２０，２５を引張り、各壁シート７，８，９，１０の下端縁を上方に持ち上げるようにしている。これにより、各壁シート７，８，９，１０の下端縁が荷役機器に巻き込まれるのを防止することが可能となる。しかも、各巻き上げ用紐体２０，２５は、各壁シート７，８，９，１０の背面側に通されているので、各壁シート７，８，９，１０の下端縁を持ち上げた際に、下端縁が各壁シート７，８，９，１０の背面側に持ち上げられることになり、各壁シート７，８，９，１０の前面側はフラットな面となる。このため、荷役機器に巻き込まれる可能性を、より小さくすることができる。
【００６７】
しかして、本発明においては、船艙２の内面全域を船艙用シート１で覆うのではなく、清掃し難い部分のみを各壁シート７，８，９，１０で覆うようにしているので、揚荷後の清掃は必要になるが、その作業を大幅に簡素化することができる。
【００６８】
しかも、船艙２の内面全域を覆わなくてもよいので、船艙用シート１の構造が大幅に簡単となるとともに、展張作業も極めて簡単となり、船艙用シート１の設置時間を大幅に短縮することができる。
【００６９】
ところで、前記各壁シート７，８，９，１０を用いて、セメント等の散積み貨物を積付ける場合、積み荷役前，積み荷役初期段階あるいは揚荷役最終段階等において、船艙内に強風が吹き込んだ際には、各壁シート７，８，９，１０が舞い上がって荷役作業に支障を来たすおそれがある。
【００７０】
そこでこのような場合には、各壁シート７，８，９，１０の下端近傍位置に舞い上がり防止用の紐体を予め取付けておき、その先端を船艙側の適宜位置に固縛するようにしたり、あるいは各壁シート７，８，９，１０の裏面および船艙側に、面状ファスナをそれぞれ取付けておき、両面状ファスナを係合させたり、さらには、各壁シート７，８，９，１０の裏面を、両面粘着テープ等の粘着材を用いて船艙内壁に接着させるようにすることが好ましい。また、各壁シート７，８，９，１０の裏面下端近傍位置に重錘を予め取付けておいたり、必要な場合に後付けし、その重量で舞い上がりを防止するようにしてもよい。
【００７１】
図２４は、本発明の第２の実施の形態を示すもので、前記第１の実施の形態における各壁シート７，８，９，１０に代え、右舷壁シート５７，左舷壁シート５８，船首壁シート５９および船尾壁シート６０を用いるようにしたものである。
【００７２】
すなわち、前記各壁シート５７，５８，５９，６０は、各壁面３，４，５，６の垂直壁部分のほぼ全域を覆うことができる形状寸法に設定されており、セメント等の散積み貨物（図示せず）は、各壁シート５７，５８，５９，６０の上端よりも稍下方位置まで積付けられるようになっている。
【００７３】
これら各壁シート５７，５８，５９，６０は、図２５に示すように、縦糸が長さ方向に一致するとともに、横糸が幅方向に一致する帯状のシート原反６１を、斜め４５度のカット線でカットして単位シート原反６２を製作するとともに、図２６に示すように、その上端部をカット線６３でカットして単位シート６４を製作し、この単位シート６４を、単純に横方向に縫製して構成されており、各単位シート６４を相互に縫合する際には、その間に図示しない補強ベルトを介し縫製されて強度の向上が図られている。
【００７４】
また、各壁シート５７，５８，５９，６０の上下端縁には、図２４に示すように、上端補強ベルト６５および下端補強ベルト６６がそれぞれ縫合されるようになっているとともに、各壁シート５７，５８，５９，６０の上端縁には、カラナビ構造の上端フック６７および例えば５本の落下防止用紐体６８がそれぞれ設けられている。また、各壁シート５７，５８，５９，６０の下端縁には、例えば５本の巻き上げ用紐体６９が設けられている。
なお、その他の点については、前記第１の実施の形態と同一構成となっており、作用も同一である。
【００７５】
しかして、本実施の形態における各壁シート５７，５８，５９，６０の各単位シート６４は、縦糸も横糸も鉛直方向および水平方向に対し、いずれも４５度に傾いた状態となっているので、負荷された荷重を縦糸と横糸とで均等に分担支持することになり、最も大きな耐力を得ることができる。
【産業上の利用可能性】
【００７６】
以上のように、本発明に係る船艙用シートおよびその設置方法は、セメント等の散積み貨物を船艙に積付ける際に使用する船艙用シートおよびその設置方法として有用であり、特に揚荷後の清掃作業を大幅に簡素化できる船艙用シートおよびその設置方法として適している。
【図面の簡単な説明】
【００７７】
【図１】本発明の第１の実施の形態に係る船艙用シートを示す説明図である。
【図２】左右の各舷壁シートの設置状態を示す説明図である。
【図３】船首尾方向の各壁シートの設置状態を示す説明図である。
【図４】左右の各舷壁シートの構造を示す説明図である。
【図５】図４の単位シートの製作方法を示す説明図である。
【図６】図４の中央シートの製作方法を示す説明図である。
【図７】船首尾方向の各壁シートの構造を示す説明図である。
【図８】左右の舷壁シートを設置するために船艙内に溶着される上端係止金具，フック金具，中間係止金具，下端係止金具およびハッチ係止金具の状態を示す説明図である。
【図９】船首尾方向の各壁シートを設置するために船艙内に溶着される上端係止金具，フック金具，中間係止金具，下端係止金具およびハッチ係止金具の状態を示す説明図である。
【図１０】左右の舷壁シートを展張する展張ワイヤの張設方法を示す説明図である。
【図１１】船艙の底面上にある左右の舷壁シートを展張ワイヤの展張位置まで持ち上げる方法を示す説明図である。
【図１２】左右の舷壁シートを展張ワイヤの展張位置まで持ち上げた状態を示す説明図である。
【図１３】左右の舷壁シートを展張ワイヤにそって拡げた状態を示す説明図である。
【図１４】左右の舷壁シートの落下防止用紐体および巻き上げ用紐体を、甲板上まで引上げる方法を示す説明図である。
【図１５】甲板上まで引上げた落下防止用紐体および巻き上げ用紐体を、ハッチ係止金具に固縛した状態を示す説明図である。
【図１６】船首尾方向の各壁シートを展張する展張ワイヤの張設方法を示す説明図である。
【図１７】船艙の底面上にある船首尾方向の各壁シートを展張ワイヤの展張位置まで持ち上げる方法を示す説明図である。
【図１８】船首尾方向の各壁シートを展張ワイヤの展張位置まで持ち上げた状態を示す説明図である。
【図１９】船首尾方向の各壁シートを展張ワイヤにそって拡げた状態を示す説明図である。
【図２０】船首尾方向の各壁シートの落下防止用紐体および巻き上げ用紐体を、甲板上まで引上げる方法を示す説明図である。
【図２１】甲板上まで引上げた落下防止用紐体および巻き上げ用紐体を、ハッチ係止金具に固縛した状態を示す説明図である。
【図２２】左右の舷壁シートの下端部を、巻き上げ用紐体を引張って上方に持ち上げた状態を示す説明図である。
【図２３】船首尾方向の各壁シートの下端部を、巻き上げ用紐体を引張って上方に持ち上げた状態を示す説明図である。
【図２４】本発明の第２の実施の形態に係る各壁シートの構成を示す説明図である。
【図２５】図２４の単位シートを製作する際の元となる単位シート原反を、シート原反から製作する方法を示す説明図である。
【図２６】シート原反から単位シートを製作する方法を示す説明図である。
【符号の説明】
【００７８】
１  船艙用シート
２  船艙
３，４，５，６  壁面
７，５７  右舷壁シート
８，５８  左舷壁シート
９，５９  船首壁シート
１０，６０  船尾壁シート
１１  中央シート
１２，６４  単位シート
１３，６２  単位シート原反
１３ａ  縦糸
１３ｂ  横糸
１５  中央シート原反
１８，２３，６７  上端フック  
１９，２４，６８  落下防止用紐体
２０，２５，６９  巻き上げ用紐体
２６，２７  上端係止金具
２８，２９  フック金具
３０，３１  中間係止金具
３２，３３  下端係止金具
３４  ハッチコーミング
３５，３６  ハッチ係止金具
３７，４３  展張ワイヤ
４０，４７  滑車
【図１】
2006282024.tif 000003
【図２】
2006282024.tif 000004
【図３】
2006282024.tif 000005
【図４】
2006282024.tif 000006
【図５】
2006282024.tif 000007
【図６】
2006282024.tif 000008
【図７】
2006282024.tif 000009
【図８】
2006282024.tif 000010
【図９】
2006282024.tif 000011
【図１０】
2006282024.tif 000012
【図１１】
2006282024.tif 000013
【図１２】
2006282024.tif 000014
【図１３】
2006282024.tif 000015
【図１４】
2006282024.tif 000016
【図１５】
2006282024.tif 000017
【図１６】
2006282024.tif 000018
【図１７】
2006282024.tif 000019
【図１８】
2006282024.tif 000020
【図１９】
2006282024.tif 000021
【図２０】
2006282024.tif 000022
【図２１】
2006282024.tif 000023
【図２２】
2006282024.tif 000024
【図２３】
2006282024.tif 000025
【図２４】
2006282024.tif 000026
【図２５】
2006282024.tif 000027
【図２６】
2006282024.tif 000028